【手続補正書】
【提出日】平成18年6月19日(2006.6.19)
【手続補正１】
【補正対象書類名】明細書
【補正対象項目名】特許請求の範囲
【補正方法】変更
【補正の内容】
【特許請求の範囲】
【請求項１】  尿道の内径を狭めさせる肥大前立腺を生じる前立腺の病気に罹った男性患者を治療する方法であって、
（１）前記患者の前立腺に近接した前記患者の前記尿道の狭められた内腔部分にマイクロ波バルーンカテーテルの萎んだバルーンを縦方向に位置する段階と、
（２）前記狭められた内腔部分の尿道組織に十分な締め付け圧を印加し、前記締め付け圧が維持される限り前記狭められた内腔部分の特定量の一時的な拡張を達成する膨張圧力まで前記バルーンを膨らませる段階と、
（３）マイクロ波エネルギで前記尿道組織の前記一時的に拡張された内腔部分を照射し、それによって前記尿道組織の前記部分の加熱を達成するために、前記バルーンによって囲まれたマイクロ波伝送アンテナを持つマイクロ波発生装置を利用する段階と、
前記照射が終わり、前記バルーンが萎まされ、前記尿道組織の前記内腔部分への前記締め付け圧が除かれた後、前記尿道組織の前記内腔部分の永久的な拡張を維持することができる「生物学的ステント」を形成するために前記尿道組織の前記一時的に拡張された内腔部分が十分に加熱された時間を判断するために、
（ａ）十分に加熱された前記尿道組織に応答して前記尿道組織に前記「生物学的ステント」が永久的に形成され、それにより、前記尿道組織に「生物学的ステント」が永久的に形成された時間を示す時、第１の値から第２の値へと永久的にかなり値が変化する前記尿道組織自身の特定の物理特性値のアナログの観側可能な値を測定する更なる段階と、
を含むことを特徴とする方法。
【請求項２】  前記尿道組織の前記特定の物理特性は、前記尿道組織の弾性を構成し、
段階（ａ）は、
（ｂ）前記尿道組織への前記締め付け圧が維持され、前記尿道組織の前記部分が前記マイクロ波エネルギで照射される一方で、前記バルーンを膨らませている膨脹圧の観察可能な値を連続的に測定する段階、
を含み、
それによって、前記「生物学的ステント」が形成された時の前記尿道組織の前記弾性の値の顕著な永久的低下の結果である前記尿道組織により前記膨らませたバルーンに印加された背圧の顕著な低下に起因して、前記「生物学的ステント」が形成された時、前記バルーンを膨らませる前記膨脹圧の前記測定値に顕著な観察可能な低下がある、
ことを特徴とする請求項１に記載の方法。
【請求項３】  （ｃ）前記尿道組織への前記締め付け圧が維持され、前記尿道組織の前記部分が前記マイクロ波エネルギで照射される一方で、前記患者の前立腺に近接する前記患者の直腸組織の温度を連続的に測定する段階、
を更に含むことを特徴とする請求項２に記載の方法。
【請求項４】  段階（ｃ）は、
（ｄ）前記直腸組織から放出される温度指示放射の強さを受信し、それによって前記直腸組織から放出される温度指示放射の前記受信強さに従って前記患者の前記直腸組織の温度の連続測定を準備するために、前記患者の前立腺に近接している前記患者の前記直腸組織と空間的協働関係にある指向性アンテナを縦方向に位置するために直腸探針を持つ温度測定放射計を利用する段階、
を含むことを特徴とする請求項３に記載の方法。
【請求項５】  段階（ｄ）は、
（ｅ）前記直腸組織が最大安全温度に加熱されたという信号を発する警報を組み込む温度測定放射計を前記温度測定放射計として利用する段階、
を含むことを特徴とする請求項４に記載の方法。
【請求項６】  段階（ｄ）は、
（ｅ）前記温度測定放射計によって測定された前記温度に従って前記尿道組織を照射する前記マイクロ波発生装置からのマイクロ波電力を制限し、それによって前記直腸組織が最大安全温度を超えて加熱されるのを防ぐために前記温度測定放射計からの制御信号を前記マイクロ波発生装置に加える段階、
を含むことを特徴とする請求項４に記載の方法。
【請求項７】  前記尿道組織の前記特定の物理特性は、前記尿道組織の前記照射マイクロ波エネルギに対する反射率を構成し、
段階（ａ）は、
（ｂ）前記尿道組織への前記締め付け圧が維持され、前記尿道組織の前記部分が前記マイクロ波エネルギで照射される一方で、前記尿道組織から反射されたマイクロ波電力の観察可能な値を連続的に測定する段階、
を含み、
それによって、前記「生物学的ステント」が形成される時、前記「生物学的ステント」が形成される時の前記尿道組織の反射率の値の顕著な永久的変化の結果である前記尿道組織から反射されたマイクロ波電力の測定値に顕著な観察可能な変化がある、
ことを特徴とする請求項１に記載の方法。
【請求項８】  段階（ｂ）は、
（ｃ）２方向カプラと、前記マイクロ波エネルギを前記マイクロ波発生装置から前記マイクロ波伝送アンテナへ前記２方向カプラを通して伝送する反射電力計とを利用し、前記尿道組織から反射されたマイクロ波電力が前記反射電力計によって連続的に測定されるように、前記マイクロ波伝送アンテナによって受信された反射マイクロ波エネルギを前記反射電力計へ前記２方向カプラを通して戻す段階、
を含むことを特徴とする請求項７に記載の方法。
【請求項９】  （ｄ）前記マイクロ波発生装置から前記マイクロ波伝送アンテナへ前記２方向カプラを通して伝送されている前記マイクロ波発生装置からの前記マイクロ波エネルギの伝送マイクロ波電力を連続的に測定する伝送電力計を利用する段階、
を更に含むことを特徴とする請求項８に記載の方法。
【請求項１０】  前記マイクロ波発生装置は、マイクロ波発生装置に加えられた制御信号に応答する論理手段を備える信号制御マイクロ波発生装置であり、
（ｅ）前記伝送マイクロ波電力の現在の測定値を前記伝送電力計から前記信号制御マイクロ波発生装置に第１の制御信号として連続的にフィードバックする段階と、
（ｆ）前記反射マイクロ波電力の現在の測定値を前記反射電力計から前記信号制御マイクロ波発生装置に第２の制御信号として連続的にフィードバックする段階と、
（ｇ）前記伝送マイクロ波電力の現在の測定値の前記反射マイクロ波電力の現在の測定値に対する比の値の顕著な変化に応答して、前記信号制御マイクロ波発生装置からの伝送マイクロ波電力出力を消させる段階と、
を更に含むことを特徴とする請求項９に記載の方法。
【請求項１１】  （ｈ）前記直腸組織から放出される温度指示放射の強さを受信し、それによって前記直腸組織から放出される温度指示放射の前記受信強さに従って前記患者の前記直腸組織の温度の連続測定を準備するために、前記患者の前立腺に近接している前記患者の前記直腸組織と空間的協働関係にある指向性アンテナを縦方向に位置するために直腸探針を持つ温度測定放射計を利用する段階と、
前記温度測定放射計によって測定された前記温度に従って前記尿道組織を照射する前記信号制御マイクロ波発生装置からのマイクロ波電力を制限し、それによって前記直腸組織が最大安全温度を超えて加熱されるのを防ぐために前記温度測定放射計からの第３の制御信号を前記信号制御マイクロ波発生装置に加える段階と、
を更に含むことを特徴とする請求項１０に記載の方法。
【請求項１２】  （ｂ）前記尿道組織への前記締め付け圧が維持され、前記尿道組織の前記部分が前記マイクロ波エネルギで照射される一方で、前記患者の前立腺に近接する前記患者の直腸組織の温度を連続的に測定する段階、
を更に含むことを特徴とする請求項１に記載の方法。
【請求項１３】  段階（ｂ）は、
（ｃ）前記直腸組織から放出される温度指示放射の強さを受信し、それによって前記直腸組織から放出される温度指示放射の前記受信強さに従って前記患者の前記直腸組織の温度の連続測定を準備するために、前記患者の前立腺に近接している前記患者の前記直腸組織と空間的協働関係にある指向性アンテナを縦方向に位置するために直腸探針を持つ温度測定放射計を利用する段階、
を含むことを特徴とする請求項１２に記載の方法。
【請求項１４】  前記尿道組織の前記特定の物理特性は、前記尿道組織の前記照射マイクロ波エネルギに対する透過率を構成し、
段階（ａ）は、
（ｄ）前記尿道組織への前記締め付け圧が維持され、前記尿道組織の前記部分が前記マイクロ波エネルギで照射される一方で、前記「生物学的ステント」が形成された時、前記指向性アンテナによって受信される前記マイクロ波伝送アンテナから伝送されたマイクロ波電力の測定値に前記「生物学的ステント」が形成された時の前記尿道組織の透過率の値の顕著な永久的変化の結果である顕著な観察可能な変化があるように、前記指向性アンテナによって受信される前記マイクロ波伝送アンテナから伝送された、そのマイクロ波電力の観察可能な値を連続的に測定する段階、
を含むことを特徴とする請求項１３に記載の方法。
【請求項１５】  段階（ｄ）は、
（ｅ）前記指向性アンテナによって受信される前記マイクロ波伝送アンテナから伝送されたマイクロ波電力を受信電力計に分配し、前記直腸組織から放出された温度指示放射の強さを前記温度測定放射計に対して分配するマイクロ波電力配電器を利用する段階、
を含むことを特徴とする請求項１４に記載の方法。
【請求項１６】  （ｆ）前記マイクロ波発生装置から前記マイクロ波伝送アンテナに伝送されている前記マイクロ波発生装置からの前記マイクロ波エネルギの伝送マイクロ波電力を連続的に測定する伝送電力計を利用する段階、
を更に含むことを特徴とする請求項１５に記載の方法。
【請求項１７】  前記マイクロ波発生装置は、マイクロ波発生装置に加えられた制御信号に応答する論理手段を備える信号制御マイクロ波発生装置であり、
（ｇ）前記伝送マイクロ波電力の現在の測定値を前記伝送電力計から前記信号制御マイクロ波発生装置に第１の制御信号として連続的にフィードバックする段階と、
（ｈ）前記反射マイクロ波電力の現在の測定値を前記反射電力計から前記信号制御マイクロ波発生装置に第２の制御信号として連続的にフィードバックする段階と、
（ｉ）温度の現在の測定値を前記温度測定放射計から前記信号制御マイクロ波発生装置に第３の制御信号として連続的にフィードバックする段階と、
（ｊ）前記温度の現在の測定値に従って前記尿道組織を照射する前記信号制御マイクロ波発生装置からのマイクロ波電力を制限して前記尿道組織が最大安全温度を超えて加熱されるのを防ぐために、前記伝送マイクロ波電力の現在の測定値の前記反射マイクロ波電力の現在の測定値に対する比の値の顕著な変化に応答して前記信号制御マイクロ波発生装置からの伝送マイクロ波電力出力を消させる段階と、
を更に含むことを特徴とする請求項１６に記載の方法。
【請求項１８】  段階（ｃ）は、
（ｋ）前記直腸組織が最大安全温度に加熱されたという信号を発する警報を組み込んだ温度測定放射計を利用する段階、
を含むことを特徴とする請求項１３に記載の方法。
【請求項１９】  段階（２）は、
（ｂ）前記の、より狭い内腔部分の尿道組織に十分な締め付け圧を印加し、前記締め付け圧が維持される限り前記狭められた内腔部分の特定量の一時的な拡張を達成するために、尿道組織の損失係数に比較して照射マイクロ波エネルギに対する低い損失係数を示す流体材料で前記バルーンを膨らませる段階、
を含むことを特徴とする請求項１に記載の方法。
【請求項２０】  尿道組織の損失係数に比較して照射マイクロ波エネルギに対する低い損失係数を示す前記流体材料は、空気であることを特徴とする請求項１９に記載の方法。
【請求項２１】  （ｂ）前記バルーンが萎まされ、前記尿道組織の前記内腔部分への締め付け圧が除かれた後、計量した液体を用いて、前記バルーンを再膨張する前記計量液体の測定圧力がちょうど上昇し始める点までだけ、前記バルーンを再膨脹する前記計量液体の前記の点での量が前記尿道組織の前記永久的に拡張された内腔部分の容積の尺度であるように、前記バルーンを再膨脹させる段階、
を含むことを特徴とする請求項１に記載の方法。
【請求項２２】  患者の開口部又は脈管の狭められた内腔部分を治療する方法であって、
（１）前記患者の前記開口部又は脈管の前記狭められた内腔部分にバルーンカテーテルの萎んだバルーンを縦方向に位置する段階と、
（２）前記開口部又は脈管の前記狭められた内腔部分の組織に十分な締め付け圧を印加し、前記締め付け圧が維持される限り、前記開口部又は脈管の前記狭められた内腔部分の特定量の一時的な拡張を達成する膨張圧力まで前記バルーンを膨らませる段階と、
（３）前記開口部又は脈管の前記一時的に拡張された内腔部分の前記組織を加熱する段階と、
前記照射が終わり、前記バルーンが萎まされ、前記開口部又は脈管の前記内腔部分の前記組織への前記締め付け圧が除かれた後、前記開口部又は脈管の前記内腔部分の前記組織の永久的な拡張を維持することができる「生物学的ステント」を形成するために前記開口部又は脈管の前記一時的に拡張された内腔部分が十分に加熱された時間を判断するために、
（ａ）十分に加熱された前記開口部又は脈管組織に応答して前記開口部又は脈管の前記狭められた内腔部分の前記組織に前記「生物学的ステント」が永久的に形成され、それにより、前記開口部又は脈管の前記狭められた内腔部分の前記組織に「生物学的ステント」が永久的に形成された時間を示す時、第１の値から第２の値へと永久的にかなり値が変化する前記開口部又は脈管自身の前記狭められた内腔部分の前記組織の特定の物理特性値のアナログの観側可能な値を測定する更なる段階と、
を含むことを特徴とする方法。
【請求項２３】  前記開口部又は脈管組織の前記物理特性は、前記開口部又は脈管組織の弾性を構成し、
段階（ａ）は、
（ｂ）前記開口部又は脈管組織への前記締め付け圧が維持され、前記開口部又は脈管組織の前記部分が前記マイクロ波エネルギで照射される一方で、前記バルーンを膨らませている膨脹圧の観察可能な値を連続的に測定する段階を含み、それによって、前記「生物学的ステント」が形成された時、前記「生物学的ステント」が形成された時の前記開口部又は脈管組織の弾性値の顕著な永久的低下の結果である前記開口部又は脈管組織により前記膨張したバルーンに印加された背圧の値の顕著な低下に起因する、前記バルーンを膨らませている膨脹圧の測定値の顕著な観察可能な低下がある、
ことを特徴とする請求項２２に記載の方法。
【請求項２４】  前記開口部又は脈管組織の前記物理特性は、前記開口部又は脈管組織の弾性を構成し、
前記アナログの前記観察可能な値は、前記開口部又は脈管の前記加熱された組織により前記膨らませたバルーンに印加される背圧の値の顕著な降下に起因する、前記「生物学的ステント」が形成された時の前記バルーンを膨らませている膨脹圧力の測定値の顕著な降下である、
ことを特徴とする請求項２２に記載の方法。
【請求項２５】  段階（３）は、
（ｂ）マイクロ波エネルギで前記開口部又は脈管組織の前記一時的に拡張された内腔部分を照射し、それによって前記開口部又は脈管組織の前記部分の前記加熱を達成するために、前記バルーンによって囲まれたマイクロ波伝送アンテナを持つマイクロ波発生装置を利用する段階、
を含むことを特徴とする請求項２２に記載の方法。
【請求項２６】  前記開口部又は脈管組織の前記物理特性は、前記照射マイクロ波エネルギに対する前記開口部又は脈管組織の反射率を構成し、
（ｂ）前記開口部又は脈管組織への前記締め付け圧が維持され、前記開口部又は脈管組織の前記部分が前記マイクロ波エネルギで照射される一方で、前記開口部又は脈管の前記照射組織から反射され、２方向カプラを通って反射電力計にフィードバックされるマイクロ波電力の観察可能な値を連続的に測定する段階を含み、それによって、前記「生物学的ステント」が形成された時、前記「生物学的ステント」が形成された時の前記開口部又は脈管組織の反射率値の顕著な永久的低下の結果である、前記開口部又は脈管の前記照射組織から反射されたマイクロ波電力の測定値の顕著な観察可能な低下がある、
ことを特徴とする請求項２４に記載の方法。
【請求項２７】  前記開口部又は脈管組織の前記物理特性は、前記照射マイクロ波エネルギに対する前記開口部又は脈管組織の透過率を構成し、
段階（ａ）は、
（ｂ）前記「生物学的ステント」が形成された時、前記開口部又は脈管の前記照射組織を通って伝送され、受信電力計に結合されたマイクロ波受信アンテナによって受信された、前記「生物学的ステント」が形成された時の前記開口部又は脈管組織の透過率値の顕著な永久的低下の結果である、マイクロ波電力の観察可能な値を連続的に測定する段階、
を含むことを特徴とする請求項２４に記載の方法。